(57)【要約】  装着される光モジュールのベンダに応じて処理シーケンスを切り替え可能な光伝送装置、及びその制御方法を提供する。光伝送装置は、光信号の送信を行う光モジュールが装着されるポートを備えた光伝送装置であって、上記光モジュールの識別情報のそれぞれに対応する処理シーケンスが格納されたテーブルを保持する記憶手段と、装着された光モジュールの識別情報を取得し、上記テーブルを参照して上記取得した光モジュールの識別情報に対応する処理シーケンスを決定し、決定した処理シーケンスを上記光モジュールに対して実行する制御手段と、をさらに備える。
2020195372.tif 000002
【特許請求の範囲】
【請求項１】
光信号の送信を行う光モジュールが装着されるポートを備えた光伝送装置であって、
前記光モジュールの識別情報のそれぞれに対応する処理シーケンスが格納されたテーブルを保持する記憶手段と、
装着された光モジュールの識別情報を取得し、前記テーブルを参照して前記取得した光モジュールの識別情報に対応する処理シーケンスを決定し、決定した処理シーケンスを前記光モジュールに対して実行する制御手段と、をさらに備える、
光伝送装置。
【請求項２】
前記制御手段は、
前記装着される光モジュールの識別情報を取得する取得手段と、
前記テーブルを参照し、前記取得した光モジュールの識別情報に対応する処理シーケンスを決定する決定手段と、
前記決定手段が決定した処理シーケンスを前記光モジュールに対して実行する実行手段と、を含む、
請求項１に記載の光伝送装置。
【請求項３】
前記テーブルは、前記取得した光モジュールの識別情報が前記テーブルに未登録であった光モジュールに対して実行する処理シーケンスをさらに格納している、
請求項１又は請求項２に記載の光伝送装置。
【請求項４】
前記光モジュールが装着されるポートを複数備え、
前記ポート毎に前記光モジュールの主信号を制御する主信号制御手段をさらに備える、
請求項１乃至請求項３のいずれか一項に記載の光伝送装置。
【請求項５】
前記光モジュールの識別情報に対応する処理シーケンスは、
前記主信号制御手段と前記光モジュールとをともにローパワーモードに遷移させる第１処理と、前記第１処理の後で前記光モジュールをハイパワーモードに遷移させる第２処理と、前記第２処理の後で前記主信号制御手段をハイパワーモードに遷移させる第３処理と、を含む、
請求項４に記載の光伝送装置。
【請求項６】
前記光モジュールの識別情報に対応する処理シーケンスは、
前記主信号制御手段と前記光モジュールとをともにローパワーモードに遷移させる第１処理と、前記第１処理の後で前記主信号制御手段をハイパワーモードに遷移させる第２処理と、前記第２処理の後で前記光モジュールをハイパワーモードに遷移させる第３処理と、を含む、
請求項４に記載の光伝送装置。
【請求項７】
前記装着される光モジュールの識別情報は、前記光モジュールが保持している前記光モジュールのベンダ情報を含む、
請求項１乃至請求項６のいずれか一項に記載の光伝送装置。
【請求項８】
請求項１乃至７のいずれか一項に記載の光伝送装置と、
前記光伝送装置の前記ポートに装着される光モジュールと、を含む、
光伝送システム。
【請求項９】
光信号の送信を行う光モジュールが装着されるポートを備えた光伝送装置の制御方法であって、
装着された光モジュールの識別情報を取得し、
取得した前記装着される光モジュールの識別情報から、光モジュールの識別情報に対応する処理シーケンスを決定し、
決定された処理シーケンスを前記光モジュールに対して実行する、
光伝送装置の制御方法。
【請求項１０】
前記光モジュールの識別情報に対応する処理シーケンスの決定は、前記光モジュールの識別情報のそれぞれに対応する処理シーケンスが格納されたテーブルを参照することによって行われる、
請求項９に記載の光伝送装置の制御方法。
【請求項１１】
前記装着される光モジュールの識別情報は、前記光モジュールが保持している前記光モジュールのベンダ情報を含む、
請求項９又は請求項１０に記載の光伝送装置の制御方法。
【請求項１２】
光信号の送信を行う光モジュールが装着されるポートを備えた光伝送装置の制御プログラムを記録したプログラム記録媒体であって、
制御部に、
装着された光モジュールの識別情報を取得する取得処理と、
取得した前記装着される光モジュールの識別情報から、光モジュールの識別情報に対応する処理シーケンスを決定する決定処理と、
決定された処理シーケンスを前記光モジュールに対して実行する実行処理と、を実行させる、
光伝送装置の制御プログラムを記録したプログラム記録媒体。
【請求項１３】
前記処理シーケンスを決定する決定処理は、
前記光モジュールの識別情報のそれぞれに対応する処理シーケンスが格納されたテーブルを参照することによって行われる、
請求項１２に記載の光伝送装置の制御プログラムを記録したプログラム記録媒体。
【発明の詳細な説明】
【技術分野】
【０００１】
本発明は、光伝送装置、及びその制御方法に関し、特に電気信号と光信号の変換機能を有する光モジュールに対する制御に関する。
【背景技術】
【０００２】
光ファイバ網を介して光信号を送受信する光伝送装置は、電気信号と光信号の変換機能を有する光モジュールを搭載する。このような光伝送装置の一例としてはトランスポンダ装置があり、またこのような光モジュールの一例としては光トランシーバがある。【０００３】
このような光伝送装置では、光伝送装置に対して挿抜可能に構成されるプラガブル光モジュールが主として採用されている。プラガブル光モジュールの利用によって、光伝送装置を含むシステムの稼働後に、光モジュールの増設や交換をすることができる。このプラガブル光モジュールには、構造やインタフェースを規定する団体規格（ＭＳＡ：Multi Source Agreement）が存在する。各光モジュールのベンダは、この団体規格の要求に沿った光モジュールの開発を行っている。【０００４】
特許文献１は光伝送装置に関するものであり、プラガブル光モジュールに書き込まれた、ベンダ（製造者）コード、製造日、シリアルナンバー、波長などの保守に必要となる情報を専用のソフトウェアで読み出すことが、提案されている。特許文献１では、ネットワーク管理者が読み出された保守に必要となる情報を参照することにより、設定と異なる光モジュールが実装されていないか等を検査できることが、記載されている。
【先行技術文献】
【特許文献】
【０００５】
【特許文献１】国際公開第２０１１／０９６０２０号
【発明の概要】
【発明が解決しようとする課題】
【０００６】
ところで、光伝送装置に装着された光モジュールは、光伝送装置からの指示に応じて各種処理シーケンスを実行する。電気信号と光信号の変換機能を有する光モジュールにおける各種処理シーケンスには、光モジュールの起動シーケンスや光モジュールが出力する光信号の波長切替シーケンスなどが含まれる。【０００７】
図９は、背景技術の光伝送装置などを説明するための構成図である。図９の光伝送装置１００は、光伝送装置１００に対して挿抜可能に構成されるプラガブル光モジュールが装着される。【０００８】
図９の光伝送装置１００は、不揮発メモリ１０２と、ＣＰＵ（Central Processing Unit）１０３と、を含む。図９の光伝送装置１００は複数のポートの一例として４つのポートを有しており、複数のプラガブル光モジュールの一例として４つの光モジュール１０４〜１０７がポートにそれぞれ装着されている。これまで光伝送装置に接続されるプラガブル光モジュールは、全て同一のベンダにより製造されたものであることが通例であった。すなわち図９の光モジュール１０４〜１０７は例えばベンダＡという同一のベンダにより製造されたものであることが通例であった。不揮発メモリ１０２にはプラガブル光モジュール制御用のファームウェアが保持されており、これはベンダＡが製造した光モジュール１０４〜１０７を制御するためのファームウェアである。この場合、図９の光伝送装置１００は全てのプラガブル光モジュールに対して同じ処理シーケンスを実行することが可能であった。【０００９】
団体規格の要求に沿ったプラガブル光モジュールを利用することによって、光伝送装置を含むシステムの稼働後に、光モジュールの増設や交換をすることが可能である。このようなメリットを生かして、近年では光通信装置に接続する光モジュールの一部又は全部を、システム運用中において変更されることも行われる。例えば光伝送装置のユーザは、光モジュールの性能やコストを考慮してシステムの運用中に光モジュールを変更することも行われる。【００１０】
ここで、光伝送装置のユーザが光モジュールを変更した場合、変更後の光モジュールの製造ベンダが運用開始時に接続されていた光モジュールの製造ベンダとは異なることが起こり得る。光モジュールの製造ベンダが異なる場合、光モジュールに対して実行すべき処理シーケンスの内容も異なるものとなり得る。【００１１】
光モジュールの増設や交換によって光伝送装置に装着された光モジュールの製造ベンダが異なるものとなった場合に処理シーケンスについても変更可能であることが望ましいが、特許文献１には上記課題を解決する方法についての開示はない。【００１２】
したがって本発明の目的は、装着される光モジュールに応じて処理シーケンスを切り替え可能な光伝送装置、及びその制御方法を提供することにある。
【課題を解決するための手段】
【００１３】
前記目的を達成するため、本発明に係る光伝送装置は、
光信号の送信を行う光モジュールが装着されるポートを備えた光伝送装置であって、
上記光モジュールの識別情報のそれぞれに対応する処理シーケンスが格納されたテーブルを保持する記憶手段と、
上記装着される光モジュールの識別情報を取得し、上記テーブルを参照して上記取得した光モジュールの識別情報に対応する処理シーケンスを決定し、決定した処理シーケンスを上記光モジュールに対して実行する制御手段と、をさらに備える。【００１４】
本発明に係る光伝送装置の制御方法は、光信号の送信を行う光モジュールが装着されるポートを備えた光伝送装置の制御方法であって、
上記装着される光モジュールの識別情報を取得し、
取得した上記装着される光モジュールの識別情報から、光モジュールの識別情報に対応する処理シーケンスを決定し、
決定された処理シーケンスを上記光モジュールに対して実行する。
【発明の効果】
【００１５】
本発明によれば、装着される光モジュールに応じて処理シーケンスを切り替え可能な光伝送装置、及びその制御方法を提供できる。
【図面の簡単な説明】
【００１６】
【図１】第１実施形態の光伝送装置を説明するための構成図である。
【図２】図１の制御部４のより具体的な構成を説明するためのブロック図と、制御部４が実行する処理を説明するためのフロー図である。
【図３】光モジュールの識別情報の一例としての、ベンダＩＤから、処理シーケンスを決定するために参照される判定テーブルの一例を示す図である。
【図４】第１実施形態の光伝送装置の制御方法を説明するためのフローチャートである。
【図５】第１実施形態の光伝送装置の各光モジュール６〜９に対して実行する処理シーケンスの一例をそれぞれ示すフローチャートである。
【図６】第２実施形態の光伝送装置を説明するための構成図である。
【図７】図６の主信号制御チップと光モジュールのより詳細な構成を説明するためのブロック図である。
【図８】第２実施形態の光伝送装置の各光モジュール６、７に対して実行する処理シーケンスの一例をそれぞれ示すフローチャートである。
【図９】背景技術の光伝送装置などを説明するための構成図である。
【発明を実施するための形態】
【００１７】
本発明の好ましい実施形態について、図面を参照しながら詳細に説明する。
【００１８】
〔第１実施形態〕
初めに、本発明の第１実施形態による光伝送装置、及びその制御方法について、説明する。図１は、本発明の第１実施形態の光伝送装置を説明するための構成図である。図２は、図１の制御部４のより具体的な構成を説明するためのブロック図と、制御部４が実行する処理を説明するためのフロー図である。
【００１９】
（光伝送装置の構成）
図１に、光ファイバ網を介して光信号を送受信する光伝送装置の一例として光通信装置を示す。図１の光通信装置１は、光信号の送信を行う光モジュールが装着されるポートを備えた光伝送装置の一例として、４つのポートを備えた光伝送装置であり、トランスポンダ装置である。図１の光通信装置１は、ＣＰＵ（Central Processing Unit）４ｘ及びメモリ４ｙを含む制御部４を有している。
【００２０】
ＣＰＵ（Central Processing Unit）４ｘは、光通信装置１と光モジュール６〜９の制御を実行する機能を有する。
【００２１】
メモリ４ｙは、ＣＰＵ４ｘ上で動作する図２の記憶部４ａ、取得部４ｂ、決定部４ｃ、実行部４ｄのプログラムを有する。
【００２２】
図１の上側には光モジュールが装着されていない状態の光通信装置１を示し、図１の下側には４つのポートに光モジュール６〜９が装着された状態の光通信装置１を示す。なおここで、光モジュール６はベンダＡによる光モジュールであり、光モジュール７はベンダＢによる光モジュールであり、光モジュール８はベンダＣによる光モジュールであり、光モジュール９はベンダＡ乃至ベンダＣとは異なるその他のベンダによる光モジュールであることを想定する。
【００２３】
光モジュール６〜９は、光通信装置１のポートに挿抜可能な構成を有するプラガブル光モジュールであり、光トランシーバである。光モジュール６〜９は、光通信装置１を介して入力されるデータ信号（電気信号）を光信号に変換して外部に出力する。なお光モジュール６〜９もまた図示しない制御部を内部に有し、光通信装置１の制御部４と制御信号のやり取りを行う。プラガブル光モジュールの種類としては、ＣＦＰ（100G Form-factor Pluggable）、ＳＦＰ（Small Form-factor Pluggable）、ＱＳＦＰ（Quad Small Form-factor Pluggable）等が存在する。
【００２４】
光通信装置１の制御部４は、図２の下側のフロー図のように、装着される光モジュールの識別情報を取得する取得処理（Ｓ１）、取得した光モジュールの識別情報から、光モジュールの識別情報に対応する処理シーケンスを決定する決定処理（Ｓ２）、及び決定された処理シーケンスを光モジュールに対して実行する実行処理（Ｓ３）を順番に実施する。こうして、光伝送装置に装着された光モジュールに対して光モジュールの識別情報に応じて処理シーケンスを実施することができる。なおここで処理シーケンスとは、処理や、処理が複数あるときは処理の順番である。
【００２５】
上記取得処理、上記決定処理、及び上記実行処理を実現させる光伝送装置の制御プログラムは、プログラムを記録した、コンピュータ読取可能な記録媒体の形態で、流通され得る。このプログラムは、ＣＦ（Compact Flash（登録商標））及びＳＤ（Secure Digital）等の汎用的な半導体記録デバイス、フレキシブルディスク（Flexible Disk）等の磁気記録媒体、又はＣＤ−ＲＯＭ（Compact Disc Read Only Memory）などの光学記録媒体などの形態で、流通され得る。
【００２６】
なお光モジュールの識別情報としては、一つの情報、或いは複数の情報の組合せを用いることができる。本実施形態では、光モジュールの識別情報の一例として光モジュールのベンダ情報を用いた場合で、以下説明する。光モジュールの識別情報としては、光モジュールの品名、品番や型番など、ベンダ情報以外の情報を用いることができる。
【００２７】
データ信号（電気信号）を光信号に変換して外部に出力する光モジュールに対して実行する処理シーケンスとしては、起動シーケンスや波長切替シーケンスなどが含まれる。ここで、起動シーケンスを構成する処理を実行する順番については団体規格において規定されず、光モジュールの製造ベンダごとに異なる。
【００２８】
光通信装置１の制御部４は、上記取得処理、上記決定処理、上記実行処理を実現させるプログラムを図１のメモリ４ｙに読み込んでＣＰＵ４ｘが順次上記取得処理、上記決定処理、及び上記実行処理を実行することにより、図２の上側の構成図のように、記憶部４ａ、取得部４ｂ、決定部４ｃ及び実行部４ｄの機能を実現する。
【００２９】
記憶部４ａは、ベンダ情報（ベンダＩＤ）と処理シーケンス（処理順番）を対応付けたテーブルを格納する。取得部４ｂは、光通信装置１のポートに装着された光モジュール６〜９のベンダ情報を取得する。取得部４ｂによるベンダ情報（ベンダＩＤ）の取得は具体的には、光モジュール６〜９が接続された場合に、当該光モジュールが備える制御部から取得してもよいし、外部からベンダ情報の入力を受け付けるようにしてもよい。決定部４ｃは、取得したベンダ情報とテーブルを参照して、実行する処理シーケンスを決定する。実行部４ｄは、決定した処理シーケンスを光モジュール６〜９に対して実行する。
【００３０】
図３は、光モジュールの識別情報の一例としての、ベンダＩＤ（Identification）から、処理シーケンスを決定するために参照される判定テーブルの一例を示す図である。
【００３１】
図３の判定テーブルは、マルチベンダ制御のための判定テーブルである。図３の判定テーブルでは、ベンダＩＤのベンダＡ、ベンダＢ、ベンダＣ、その他に対して、光モジュールに対して実行すべき処理シーケンスが対になるように保持されている。言い換えると、図３の判定テーブルは、光モジュールのベンダＩＤのそれぞれに対応して、処理シーケンスが格納されている。図３の判定テーブルでは、ベンダＩＤ毎に１番目の処理、２番目の処理、３番目の処理、４番目の処理に関する情報が保持されている。図３の判定テーブルは、図１の制御部４のメモリ４ｙの中に構成することができ、また制御部４のＣＰＵ４ｘの中に構成することができ、或いは図１の制御部４の外に構成することも考えられる。
【００３２】
（光伝送装置の動作）
次に、光伝送装置の動作、装着される光モジュールのベンダに応じた処理シーケンスの切り替え、実行について図面を参照して説明する。図４は、本実施形態の光伝送装置の制御方法を説明するためのフローチャートである。図５は、本実施形態の光伝送装置の各光モジュール６〜９に対して実行する処理シーケンスの一例をそれぞれ示すフローチャートである。
【００３３】
光通信装置１の制御部４は、例えば光モジュール６〜９がポートに装着されたときに、光モジュール６〜９に書き込まれ光モジュール６〜９が保持するベンダＩＤを読み出す（Ｓ６１）。次に光通信装置１の制御部４は、読み出したベンダＩＤを図３の判定テーブルと照合し、読み出したベンダＩＤに対応する制御の処理順番である、処理シーケンスを決定する（Ｓ６２）。次に、決定された処理シーケンスをベンダ毎に実行する（Ｓ６３）。図１の光通信装置１では、光モジュール６に対してはベンダＡのための処理シーケンスを実行し（Ｓ６４）、光モジュール７に対してはベンダＢのための処理シーケンスを実行する（Ｓ６５）。光モジュール８に対してはベンダＣのための処理シーケンスを実行し（Ｓ６６）、光モジュール９に対してはその他のベンダのための処理シーケンスを実行する（Ｓ６７）。光通信装置１に装着され、こうして処理シーケンスが実行された光モジュール６〜９は、電気信号と光信号との変換機能を開始することができる。
【００３４】
（光伝送装置の効果）
本実施形態の光伝送装置によれば、装着される光モジュールのベンダに応じて処理シーケンスを切り替え可能に構成することができる。ベンダごとの処理シーケンスを判定テーブルに格納し、取得したベンダ情報に対応する処理シーケンスを参照可能な構成とすることで、接続する光モジュールのベンダが変更された場合や複数ある場合においても適切な処理シーケンスを実行することが可能となる。
【００３５】
これにより、光伝送装置のユーザが光モジュールを変更し、変更後の光モジュールの製造ベンダが運用開始時に接続されていた光モジュールの製造ベンダとは異なる状態となった場合にも、光モジュールに最適な処理シーケンスを制御部４が光モジュールに対して実行させることができる。これにより、光モジュールの起動不可を回避し、さらに変更後の光モジュールに期待された最大のパフォーマンスを発揮させて、光伝送装置を運用することができる。
【００３６】
〔第２実施形態〕
次に、本発明の第２実施形態による光伝送装置、及びその制御方法について、説明する。図６は、本発明の第２実施形態の光伝送装置を説明するための構成図である。
【００３７】
（光伝送装置の構成）
図６は、光ファイバ網を介して光信号を送受信する光伝送装置の一例として光通信装置を示す。図６の光通信装置１は、第１実施形態と同様に、光信号の送信を行う光モジュールが装着されるポートを備えた光伝送装置の一例として４つのポートを備えた光伝送装置である。図６の光通信装置１は第１実施形態と同様に、ＣＰＵ４ｘ及びメモリ４ｙを含む制御部４を有している。制御部４は第１実施形態と同様に、ＣＰＵ及びメモリによって、記憶部４ａ、取得部４ｂ、決定部４ｃ及び実行部４ｄと同等の機能を実現する。
【００３８】
さらに図６の光通信装置１は、ＣＰＵ４ｘと、主信号制御チップ（♯１）１０、主信号制御チップ（♯２）１１、主信号制御チップ（♯３）１２、及び主信号制御チップ（♯４）１３と、を含む。図６の光通信装置１は、主信号制御チップ１０〜１３及び光モジュール６〜９に対して、処理シーケンスの実行指示を行うことが可能である。
【００３９】
ＣＰＵ４ｘは、メモリ４ｙの制御部のプログラムを実行し、光通信装置１、主信号制御チップ１０〜１３、およびマルチベンダの光モジュール６〜９を制御する機能を有する。
【００４０】
主信号制御チップ１０〜１３は、ポートに装着される光モジュール毎に設けられており、ポートに装着される光モジュールの主信号を制御する。より具体的には、主信号制御チップ１０〜１３はＤＳＰ（Digital Signal Processor）であり、伝送される主信号のデジタル信号処理を行う。
【００４１】
次に、図７を参照して光モジュールのより詳細な構成について説明する。図７は、図６の主信号制御チップと光モジュールのより詳細な構成を説明するためのブロック図である。図７は、図６の主信号制御チップと光モジュールとの組合せの一つを示したものである。主信号制御チップ１０（〜１３）は、光モジュールで光電気変換される電気信号である主信号を光モジュールへ出力する。光モジュール６（〜９）は内部にＣＰＵ９５を備え、光通信装置１から入力される処理シーケンスの実行指示に応じて内部のコンポーネント（光電気変換部９０、電源部９４など）を制御する。図７の上側に示すように光モジュール６（〜９）は、主信号制御チップ１０（〜１３）からの電気信号を光信号に変換して出力する光電気変換部９０と、光モジュール６（〜９）内の各要素へ必要な動作電源を供給する電源部９４と、光電気変換部９０と電源部９４とを制御するＣＰＵ９５と、を含む。
【００４２】
図７の中央に示すように、光モジュール６（〜９）の光電気変換部９０は、光通信装置１内の主信号制御チップ１０（〜１３）から出力されるデータ信号（電気）を増幅して駆動信号（電気）を生成する駆動回路９１と、光を出力する光源部９２と、上記光源部９２からの光を印加された上記駆動信号に応じて変調し、光信号を出力する変調器９３と、を含む。
【００４３】
図７の下側に示すように、光モジュール６（〜９）内のＣＰＵ９５には、例えばLOWPOWER信号、RST信号、TX-DIS信号やCOMMAND信号が供給されて、光通信装置１から光モジュール６（〜９）への制御が行われる。LOWPOWER信号は、光モジュール６（〜９）に対する電源オン又は電源オフを指示する信号である。RST信号は、光モジュール６（〜９）に対する再起動動作、すなわち光モジュール６（〜９）内のステータスやデータを初期化する動作を指示する信号である。TX-DIS信号は、光モジュールからの光信号の送出の停止を指示する信号である。COMMAND信号は、光モジュール６（〜９）が実行する機能に対して指示する信号であり、例えば光信号の波長切替の指示、光信号の光出力強度を変更する指示、や動作モードの変更の指示などが含まれる。
【００４４】
また主信号制御チップ１０（〜１３）に対しても、LOWPOWER信号が供給されて、光通信装置１から主信号制御チップ１０（〜１３）への制御が行われる。例えば光通信装置１の制御部４は主信号制御チップ１０（〜１３）にLow Power状態に遷移するよう命令して、主信号制御チップ１０（〜１３）は電源オフ状態となる。また光通信装置１の制御部４は主信号制御チップ１０（〜１３）にLow Power状態を解除するように命令して、主信号制御チップ１０（〜１３）は電源オン状態となる。
【００４５】
なおLOWPOWER信号、RST信号、TX-DIS信号やCOMMAND信号による光モジュール６（〜９）や主信号制御チップ１０（〜１３）に対する制御は、光モジュール６（〜９）や主信号制御チップ１０（〜１３）が備えるハードウェアピンを介して指示することとしてもよい。
【００４６】
（光伝送装置の動作）
次に、光伝送装置の動作、装着される光モジュールのベンダに応じた処理シーケンスを切り替え、実行について図面を参照して説明する。本実施形態では光通信装置１が主信号制御チップ１０〜１３を含んでおり、光通信装置１の制御部４は主信号制御チップ１０及び光モジュール６の対に対して処理シーケンスを実行させる点で、第１実施形態と相違している。
【００４７】
図８は、第２実施形態の光伝送装置の各光モジュール６、７に対して実行する処理シーケンスの一例をそれぞれ示すフローチャートである。光通信装置１の制御部４は第１実施形態と同様に、装着される光モジュールの識別情報を取得する取得処理、取得した光モジュールの識別情報から、光モジュールの識別情報に対応する処理シーケンスを決定する決定処理、及び決定された処理シーケンスを光モジュールに対して実行する実行処理を順番に実施する。こうして、光伝送装置に装着された光モジュールに対して光モジュールの識別情報に応じて処理シーケンスを実施することができる。
【００４８】
本実施形態においても、取得した光モジュールの識別情報から、光モジュールの識別情報に対応する処理シーケンスを決定する決定処理には、判定テーブルを参照するものとする。図示しないが本実施形態の判定テーブルではベンダＩＤごとに、例えば図８のフローチャートの各処理に対応する、１番目の処理〜７番目の処理の内容や処理の順番が保持されているものとする。
【００４９】
図６の光通信装置１の制御部４は、例えば光モジュール６〜９がポートに装着されたときに、光モジュール６〜９に書き込まれ光モジュール６〜９が保持するベンダＩＤを読み出す。次に光通信装置１の制御部４は、読み出したベンダＩＤを判定テーブルと照合し、読み出したベンダＩＤに対応する制御の処理順番である、処理シーケンスを決定する。こうして決定された処理シーケンスに沿って、ベンダＡに対する処理シーケンスや、ベンダＢに対する処理シーケンスが実行される。図８のフローチャートでは、ベンダＡの光モジュールに対しては、処理＃１、処理＃２、処理＃３、処理＃４、処理＃５、処理＃６、及び処理＃７をこの順番に実行させる処理シーケンスを示している。またベンダＢの光モジュールに対しては、処理＃１、処理＃４、処理＃５、処理＃２、処理＃３、処理＃６、及び処理＃７をこの順番に実行させる処理シーケンスを示している。
【００５０】
図８のフローチャートに一例を示す、ベンダＡの光モジュールに対して実行する処理シーケンスを一通り説明する。まず制御部４が主信号制御チップ１０、及び光モジュール６にLow Power状態に遷移するよう命令する（処理＃１）。次に、制御部４が光モジュール６にLow Power状態を解除するように命令する（処理＃２）。次に、制御部４は光モジュール６がHigh Power状態に遷移したことを確認する（処理＃３）。次に、制御部４が主信号制御チップ１０に対してLow Power状態を解除するように命令する（処理＃４）。次に、制御部４は主信号制御チップ１０がHigh Power状態に遷移したことを確認する（処理＃５）。次に、制御部４は光モジュール６に対して発光するように命令する（処理＃６）。次に、制御部４は光モジュール６が発光したことを確認する（処理＃７）。こうして光通信装置１の制御部４は、主信号制御チップ１０、及び光モジュール６に対する一連の制御シーケンスで光信号を出力可能な状態へ光モジュール６を制御することができる。
【００５１】
図８のフローチャートに一例を示す、ベンダＢの光モジュールに対して実行する処理シーケンスを一通り説明する。まず制御部４が主信号制御チップ１１、及び光モジュール７にLow Power状態に遷移するよう命令する（処理＃１）。次に、制御部４が主信号制御チップ１１に対してLow Power状態を解除するように命令する（処理＃４）。次に、制御部４は主信号制御チップ１１がHigh Power状態に遷移したことを確認する（処理＃５）。次に、制御部４が光モジュール６にLow Power状態を解除するように命令する（処理＃２）。次に、制御部４は光モジュール６がHigh Power状態に遷移したことを確認する（処理＃３）。次に、制御部４は光モジュール６に対して発光するように命令する（処理＃６）。次に、制御部４は光モジュール６が発光したことを確認する（処理＃７）。こうして光通信装置１の制御部４は、主信号制御チップ１１、及び光モジュール７に対する一連の制御シーケンスで光信号を出力可能な状態へ光モジュール７を制御することができる。
【００５２】
（光伝送装置の効果）
本実施形態の光伝送装置によれば、装着される光モジュールのベンダに応じて処理シーケンスを切り替え可能に構成することができる。ベンダごとの処理シーケンスを判定テーブルに格納し、取得したベンダ情報に対応する処理シーケンスを参照可能な構成とすることで、接続する光モジュールのベンダが変更された場合や複数ある場合においても適切な処理シーケンスを実行することが可能となる。
【００５３】
これにより、光伝送装置のユーザが光モジュールを変更し、変更後の光モジュールの製造ベンダが運用開始時に接続されていた光モジュールの製造ベンダとは異なる状態となった場合にも、光モジュールに最適な処理シーケンスを制御部４が光モジュールに対して実行させることができる。これにより、光モジュールの起動不可を回避し、さらに変更後の光モジュールに期待された最大のパフォーマンスを発揮させて、光伝送装置を運用することができる。
【００５４】
さらに本実施形態の光伝送装置によれば、装着される光モジュールのベンダに応じて光モジュール及び光モジュールの主信号を制御する主信号制御チップに対して、処理シーケンスを切り替え可能に構成することができる。これにより伝送される主信号に対するデジタル信号処理を行う主信号制御チップ１０〜１３と光モジュール６〜９との組み合わせに対して、最適な処理シーケンスを制御部４が主信号制御チップ及び光モジュールに対して実行させることができる。これにより、光モジュールの起動不可を回避し、さらに変更後の光モジュールに期待された最大のパフォーマンスを発揮させて、光伝送装置を運用することができる。
【００５５】
〔その他の実施形態〕
以上、本発明の好ましい実施形態について説明したが本発明はこれらに限られるものではない。
【００５６】
第１実施形態では、ベンダＩＤと、光モジュールに対して実行すべき処理シーケンスとが対になるように保持された判定テーブルを用いることを説明したが、テーブルの形態はこれに限られない。例えば、処理シーケンスの種別ごとにテーブルを保持し、実行する制御シーケンスの種別に応じて参照するテーブルを変更するようにしてもよい。ベンダＩＤのみでなく種別を参照する場合は、種別ごとにテーブルを有するように構成すればよい。
【００５７】
また上述した第１実施形態及び第２実施形態では、取得したベンダ情報と判定テーブルを参照して、実行する処理シーケンスを決定するものとして決定したが、処理シーケンスの決定には判定テーブルの参照以外の手法も考えられる。例えば、光モジュールから読み出したベンダ情報から、実行する処理シーケンスが導出されるような論理回路を構成し、こうしてベンダ情報に対応する処理シーケンスを実行することも考えられる。
【００５８】
また上述したように、光モジュールのベンダ情報は光モジュールが光通信装置１に接続された場合に当該光モジュールが備える制御部から取得してもよいし、外部からベンダ情報の入力を受け付けるようにしてもよい。また光通信装置１は光モジュールが接続されたことに応じてベンダ情報を読み取り、処理シーケンスの判定を開始するようにしてもよい。
【００５９】
また現実の運用では、判定テーブルにベンダ情報が格納されていない光モジュールが光通信装置１に装着される場面も想定される。光モジュールから読み出したベンダ情報が判定テーブルに格納されていないベンダ情報である場合、光通信装置１はアラームを出力するようにしてもよい。図３の判定テーブルでは、ベンダＩＤがベンダＡ、ベンダＢ、ベンダＣのものがそれぞれ保持され、ベンダＩＤがその他のものが保持されている。ベンダＡ、ベンダＢ、ベンダＣ以外のベンダに対しては共通に、その他に対応した処理シーケンスを実行させるものと考えることができる。光モジュールから読み出したベンダ情報が判定テーブルに格納されていないといった場面を想定して、未登録ベンダに適用する処理シーケンスをテーブルに格納しておき、当該処理シーケンスを実行するようにしてもよい。
【００６０】
また光通信装置１は、未登録のベンダ情報に対する処理シーケンスをテーブルに格納する目的で、外部装置より処理シーケンスを登録するためのインタフェースを有するようにしてもよい。
【００６１】
上記の実施形態の一部又は全部は、以下の付記のようにも記載されうるが、以下には限られない。
（付記１）光信号の送信を行う光モジュールが装着されるポートを備えた光伝送装置であって、前記光モジュールの識別情報のそれぞれに対応する処理シーケンスが格納されたテーブルを保持する記憶手段と、装着された光モジュールの識別情報を取得し、前記テーブルを参照して前記取得した光モジュールの識別情報に対応する処理シーケンスを決定し、決定した処理シーケンスを前記光モジュールに対して実行する制御手段と、をさらに備える、光伝送装置。
（付記２）前記制御手段は、前記装着される光モジュールの識別情報を取得する取得手段と、前記テーブルを参照し、前記取得した光モジュールの識別情報に対応する処理シーケンスを決定する決定手段と、前記決定手段が決定した処理シーケンスを前記光モジュールに対して実行する実行手段と、を含む、付記１に記載の光伝送装置。
（付記３）前記テーブルは、前記取得した光モジュールの識別情報が前記テーブルに未登録であった光モジュールに対して実行する処理シーケンスをさらに格納している、付記１又は付記２に記載の光伝送装置。
（付記４）前記光モジュールが装着されるポートを複数備え、前記ポート毎に前記光モジュールの主信号を制御する主信号制御手段をさらに備える、付記１乃至付記３のいずれか一つに記載の光伝送装置。
（付記５）前記光モジュールの識別情報に対応する処理シーケンスは、前記主信号制御手段と前記光モジュールとをともにローパワーモードに遷移させる第１処理と、前記第１処理の後で前記光モジュールをハイパワーモードに遷移させる第２処理と、前記第２処理の後で前記主信号制御手段をハイパワーモードに遷移させる第３処理と、を含む、付記４に記載の光伝送装置。
（付記６）前記光モジュールの識別情報に対応する処理シーケンスは、前記主信号制御手段と前記光モジュールとをともにローパワーモードに遷移させる第１処理と、前記第１処理の後で前記主信号制御手段をハイパワーモードに遷移させる第２処理と、前記第２処理の後で前記光モジュールをハイパワーモードに遷移させる第３処理と、を含む、付記４に記載の光伝送装置。
（付記７）前記装着される光モジュールの識別情報は、前記光モジュールが保持している前記光モジュールのベンダ情報を含む、付記１乃至付記６のいずれか一つに記載の光伝送装置。
（付記８）付記１乃至７のいずれか一つに記載の光伝送装置と、前記光伝送装置の前記ポートに装着される光モジュールと、を含む、光伝送システム。
（付記９）光信号の送信を行う光モジュールが装着されるポートを備えた光伝送装置の制御方法であって、装着された光モジュールの識別情報を取得し、取得した前記装着される光モジュールの識別情報から、光モジュールの識別情報に対応する処理シーケンスを決定し、決定された処理シーケンスを前記光モジュールに対して実行する、光伝送装置の制御方法。
（付記１０）前記光モジュールの識別情報に対応する処理シーケンスの決定は、前記光モジュールの識別情報のそれぞれに対応する処理シーケンスが格納されたテーブルを参照することによって行われる、付記９に記載の光伝送装置の制御方法。
（付記１１）前記装着される光モジュールの識別情報は、前記光モジュールが保持している前記光モジュールのベンダ情報を含む、付記９又は付記１０に記載の光伝送装置の制御方法。
（付記１２）光信号の送信を行う光モジュールが装着されるポートを備えた光伝送装置の制御プログラムであって、制御部に、装着された光モジュールの識別情報を取得する取得処理と、取得した前記装着される光モジュールの識別情報から、光モジュールの識別情報に対応する処理シーケンスを決定する決定処理と、決定された処理シーケンスを前記光モジュールに対して実行する実行処理と、を実行させる、光伝送装置の制御プログラム。
（付記１３）前記処理シーケンスを決定する決定処理は、前記光モジュールの識別情報のそれぞれに対応する処理シーケンスが格納されたテーブルを参照することによって行われる、付記１２に記載の光伝送装置の制御プログラム。
【００６２】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００６３】
この出願は、２０１９年３月２６日に出願された日本出願特願２０１９−５９０７６号を基礎とする優先権を主張し、その開示の全てをここに取り込む。
【符号の説明】
【００６４】
１    光通信装置
４    制御部
４ａ    記憶部
４ｂ    取得部
４ｃ    決定部
４ｄ    実行部
４ｘ    ＣＰＵ
４ｙ    メモリ
６、７、８、９    光モジュール
１０、１１、１２、１３    主信号制御チップ
【図１】
2020195372.tif 000003
【図２】
2020195372.tif 000004
【図３】
2020195372.tif 000005
【図４】
2020195372.tif 000006
【図５】
2020195372.tif 000007
【図６】
2020195372.tif 000008
【図７】
2020195372.tif 000009
【図８】
2020195372.tif 000010
【図９】
2020195372.tif 000011
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
光信号の送信を行う光モジュールが装着されるポートを備えた光伝送装置であって、
前記光モジュールの識別情報のそれぞれに対応する処理シーケンスが格納されたテーブルを保持する記憶手段と、
装着された光モジュールの識別情報を取得し、前記テーブルを参照して前記取得した光モジュールの識別情報に対応する処理シーケンスを決定し、決定した処理シーケンスを前記光モジュールに対して実行する制御手段と、をさらに備える、
光伝送装置。
【請求項２】
前記制御手段は、
前記装着される光モジュールの識別情報を取得する取得手段と、
前記テーブルを参照し、前記取得した光モジュールの識別情報に対応する処理シーケンスを決定する決定手段と、
前記決定手段が決定した処理シーケンスを前記光モジュールに対して実行する実行手段と、を含む、
請求項１に記載の光伝送装置。
【請求項３】
前記テーブルは、前記取得した光モジュールの識別情報が前記テーブルに未登録であった光モジュールに対して実行する処理シーケンスをさらに格納している、
請求項１又は請求項２に記載の光伝送装置。
【請求項４】
前記光モジュールが装着されるポートを複数備え、
前記ポート毎に前記光モジュールの主信号を制御する主信号制御手段をさらに備える、
請求項１乃至請求項３のいずれか一項に記載の光伝送装置。
【請求項５】
前記装着される光モジュールの識別情報は、前記光モジュールが保持している前記光モジュールのベンダ情報を含む、
請求項１乃至請求項４のいずれか一項に記載の光伝送装置。
【請求項６】
請求項１乃至５のいずれか一項に記載の光伝送装置と、
前記光伝送装置の前記ポートに装着される光モジュールと、を含む、
光伝送システム。
【請求項７】
光信号の送信を行う光モジュールが装着されるポートを備えた光伝送装置の制御方法であって、
装着された光モジュールの識別情報を取得し、
取得した前記装着される光モジュールの識別情報から、光モジュールの識別情報に対応する処理シーケンスを決定し、
決定された処理シーケンスを前記光モジュールに対して実行する、
光伝送装置の制御方法。
【請求項８】
前記光モジュールの識別情報に対応する処理シーケンスの決定は、前記光モジュールの識別情報のそれぞれに対応する処理シーケンスが格納されたテーブルを参照することによって行われる、
請求項７に記載の光伝送装置の制御方法。
【請求項９】
前記装着される光モジュールの識別情報は、前記光モジュールが保持している前記光モジュールのベンダ情報を含む、
請求項７又は請求項８に記載の光伝送装置の制御方法。
【請求項１０】
光信号の送信を行う光モジュールが装着されるポートを備えた光伝送装置の制御プログラムであって、
制御部に、
装着された光モジュールの識別情報を取得する取得処理と、
取得した前記装着される光モジュールの識別情報から、光モジュールの識別情報に対応する処理シーケンスを決定する決定処理と、
決定された処理シーケンスを前記光モジュールに対して実行する実行処理と、を実行させる、
光伝送装置の制御プログラム。
【国際調査報告】
2020195372.tif 000012
2020195372.tif 000013
2020195372.tif 000014
2020195372.tif 000015